(57)【要約】  本発明は、移動可能な視覚通信システム、より詳細には、移動可能な電子ホワイトボードシステムを提供する。本発明は、少なくとも１つの位置決め部材（２１５）とこの位置決め部材（２１５）を受けるように適合されたガイド要素（２１０）とを有する、電子ホワイトボード（１０５）を提供する。電子ホワイトボード（１０５）及び位置決め部材（２１５）はガイド要素（２１０）に沿って移動可能である。ガイド要素（２１０）は、このガイド要素（２１０）に沿ったどの点ででも電子ホワイトボード（１０５）との接続を維持する、引き伸ばし可能な、あるいは引き込み可能な線（２５５）を収納することができる。
2007526532.tif 000002
【特許請求の範囲】
【請求項１】
表面に配置されるように適合された電力式通信装置と、
前記表面に取り付けられるように適合されたトラックシステムであって、該トラックシステムを介して前記電力式通信装置と前記表面との間の相対移動を可能にするように適合されたトラックシステムと、
を含んでなることを特徴とする視覚通信システム。
【請求項２】
前記通信装置が電子ホワイトボードを含んでなることを特徴とする請求項１に記載の視覚通信システム。
【請求項３】
前記通信装置が少なくとも１つの位置決め部材を含んでなり、前記トラックシステムが前記位置決め部材を受けるように適合されるガイド要素を含んでなり、前記通信装置及び前記位置決め部材が前記ガイド要素に沿って移動可能であることを特徴とする請求項１又は２に記載の視覚通信システム。
【請求項４】
前記通信装置に動作可能に結合された計算装置を更に含んでなることを特徴とする請求項３に記載の視覚通信システム。
【請求項５】
前記ガイド要素が、データを前記通信装置へ、或いは前記通信装置から伝導するように適合されていることを特徴とする請求項３又は４に記載の視覚通信システム。
【請求項６】
前記ガイド要素が、データを前記通信装置と前記計算装置との間で伝導するように適合されていることを特徴とする請求項４に記載の視覚通信システム。
【請求項７】
前記ガイド要素が、前記通信装置に電力を送るように適合されていることを特徴とする請求項３から６のいずれか一項に記載の視覚通信システム。
【請求項８】
前記通信装置が前記ガイド要素に電気的に結合されていることを特徴とする請求項３から７のいずれか一項に記載の視覚通信システム。
【請求項９】
前記ガイド要素が、前記ガイド要素の長さに沿ったどの位置に配置されているときでも、前記ガイド要素上の前記通信装置の位置とは無関係に、前記通信装置との接続を維持するように適合された第１の通信部材を含んでなることを特徴とする請求項３から８のいずれか一項に記載の視覚通信システム。
【請求項１０】
前記第１の通信部材が、収納可能なケーブルを含んでなることを特徴とする請求項９に記載の視覚通信システム。
【請求項１１】
変換器と第２の通信部材とを更に含み、前記変換器が前記第１の通信部材を受けるように適合されていることを特徴とする請求項９又は１０に記載の視覚通信システム。
【請求項１２】
前記第２の通信部材が第２のケーブルを含んでなることを特徴とする請求項１１に記載の視覚通信システム。
【請求項１３】
前記変換器が、前記第１の通信部材によって運ばれる信号を、前記第２の通信部材によって運ばれる信号に変換するように適合されていることを特徴とする請求項１１又は１２に記載の視覚通信システム。
【請求項１４】
前記第１の通信部材がシリアル信号を運び、前記変換器が前記シリアル信号をＵＳＢ信号に変換するように適合されていることを特徴とする請求項１３に記載の視覚通信システム。
【請求項１５】
前記通信装置がタッチ感応性面を含んでなることを特徴とする請求項３から１４のいずれか一項に記載の視覚通信システム。
【請求項１６】
前記通信装置がレーザトラッキング面を含んでなることを特徴とする請求項３から１５のいずれか一項に記載の視覚通信システム。
【請求項１７】
前記トラックシステムが既存の壁構造と共に配置されていることを特徴とする請求項１から１６のいずれか一項に記載の視覚通信システム。
【発明の詳細な説明】
【技術分野】
【０００１】
本発明は、一般に視覚通信システムの分野に関し、より詳細には電子ホワイトボード、及び移動可能な対話式電子ホワイトボードシステムに関する。
【背景技術】
【０００２】
電子ホワイトボードは、講演、会議、及びプレゼンテーション中に、ユーザに多くの利点を提供する。ユーザは、会議及びプレゼンテーション中に、電子ホワイトボードによって電子プレゼンテーションを行うことができるばかりでなく、電子ホワイトボードによって、電子ホワイトボード上の手書きの注意書きを将来の参考のために電子的に保存することも可能である。
【０００３】
教室環境においては、電子ホワイトボードは、現代的でユーザフレンドリな教育ツールを教師に提供するので有利である。電子ホワイトボードは、用途が広いので教師に好まれている。教師は、電子ホワイトボードによって、事実上どんな文章や画像でも電子ホワイトボード上に投影することができ、また、電子インクを用いて、どんな投影画像の傍にでも書込みをしたり、投影画像にマークアップを加えることもできる。
【０００４】
電子ホワイトボードはますます普及しているが、電子ホワイトボードを既存の環境で使用することは、既存の視覚補助教材の存在や教室前方の壁のスペースの制限のために、問題が多い。例えば、一般に、教室には、教室前方の壁に、図表、ホワイトボード、地図、情報などの視覚補助教材が掛けてある。したがって、既存の教室や講堂によっては、電子ホワイトボードなど追加の視覚通信装置を設置するのに十分なスペースがないこともあり得る。電子ホワイトボードを設置するために、既存の視覚補助教材を取り除く必要があることもあり得る。既存の視覚通信装置を取り除くのではなく、電子ホワイトボードを、固定式のドライイレーズホワイトボード、黒板、又はタックボードを含めた既存の視覚補助教材と、組み合わせて使用することをユーザが望むこともある。
【０００５】
この問題を解決する現在の方法としては、移動式電子ホワイトボードがあり、この電子ホワイトボードは、独立型で、壁に固定されていない。したがって、この移動式電子ホワイトボードは、独自のスタンド及び電源コードを有しているが、人々は簡単にそのコードやスタンドにつまずく恐れがあるので、このコードやスタンドは安全上問題である。また、これらの電子ホワイトボードは、この移動式ユニットを収納するために大きなスペースを必要とするので、不便である。
【特許文献１】米国特許第５，７９０，１１４号明細書
【特許文献２】米国特許第６，４３４，６４４号明細書
【発明の開示】
【発明が解決しようとする課題】
【０００６】
したがって、移動可能な電子ホワイトボードシステムが必要であり、更に、既存の部屋の構造に適合した、位置決め可能な電子ホワイトボードシステムが必要である。
【０００７】
したがって、移動可能な電子ホワイトボードのためのトラックシステムがなお必要であると考えられる。本発明が主に対象とするのはそのようなシステムである。
【課題を解決するための手段】
【０００８】
本発明は、移動可能な視覚通信システムを提供する。本発明について、電子ホワイトボードに関して説明するが、本発明は、対話式視覚通信システム、ホワイトボード、黒板、プラズマディスプレイ、伝言板、及び分配計算ネットワークを含むがそれらに限定されない、その他のタイプの視覚通信システムの諸側面も含むことが理解されよう。したがって、本発明の一態様は、少なくとも１つの位置決め部材を備えた電子ホワイトボードを有する移動可能な電子ホワイトボードシステムを提供するものである。また、このシステムは、位置決め部材を受けるように適合されたガイド要素も含む。更に、電子ホワイトボード及び位置決め部材は、ガイド要素に沿って移動可能とすることができ、電子ホワイトボード及び位置決め部材は、電子ホワイトボードにある大きさの力を加えて、電子ホワイトボードを、例えば、ガイド要素に沿って摺動させて、その位置を変えることによって、ガイド要素に沿って位置決めすることができる。
【０００９】
本発明の他の態様は、電子ホワイトボードのためのトラックシステムを対象とする。このトラックシステムは、電子ホワイトボードの位置決め部材を受けるように適合されたガイド要素を含む。このガイド要素は、その長さに沿って位置決め部材を受けることができる。この電子ホワイトボードの位置決め部材を受けることにより、ガイド要素及び電子ホワイトボードは、電子ホワイトボードをガイド要素の長さに沿って位置決めすることができるように動作可能に連結されている。例えば、ガイド要素が壁に固定されているとき、そのガイド要素は電子ホワイトボードを支持する。また、このガイド要素は、電子ホワイトボードを電源に接続するための電力伝導手段、例えば、コイル状に巻かれた、又はスプロールに巻かれた線を含めた、引き込み可能な線を収納している。この線は、電子ホワイトボードとの接続が、ガイド要素の長さに沿って、電子ホワイトボードのどの位置ででも保持されるように構成することができる。この線をガイド要素に収納しておくことは、乱雑さの原因となる恐れがある多数の露出された線又は外部の線の数を減らし、ユーザに対する障害物をなくすのに役立つ。
【００１０】
本発明の他の態様は、電子ホワイトボードをガイド要素上に位置決め可能なように電子ホワイトボードを受けるように適合されたガイド要素を有する、電子ホワイトボード用のトラックシステムを提供する。このガイド要素は、引伸ばし可能な線を収納することができる。この引伸ばし可能な線は、ガイド要素中に収納されたまま、電子ホワイトボードとトラックシステムとの接続を、ガイド要素上電子ホワイトボードの位置とは無関係に保持することができる。また、このガイド要素は、必要に応じて、電力又はデータを、電子ホワイトボードへあるいは電子ホワイトボードから伝導し、あるいは送ることも可能である。
【発明を実施するための最良の形態】
【００１１】
次に、添付の図を参照しながら、移動可能な電子ホワイトボードシステムのための装置及びシステムについて詳細に説明する。ここで、いくつかの図のすべてにわたって表示される同様の参照番号は、同様の部分を表すものとする。
【００１２】
＜電子ホワイトボードシステム＞
図１は、本発明の例示的電子ホワイトボードシステム１００を示す。電子ホワイトボードシステム１００は、処理装置１１５に動作可能に連結された電子ホワイトボード１０５を含む。処理装置１１５は、電子ホワイトボードの組み込まれた構成要素でよく、あるいは、処理装置１１５は外部の構成要素でもよい。好適な処理装置には、パーソナルコンピュータなどのコンピューティング装置がある。
【００１３】
電子ホワイトボード１０５は、当技術分野ではよく知られており様々なやり方でユーザからの入力を受け取る。例えば、電子ホワイトボード１０５は、容量技術を組み込み、導電性のスタイラスを介してユーザからの入力を受け取ることができる。このスタイラスは指を含めた書込み手段であり得る。例示的スタイラスは、信号を電子ホワイトボード１０５に送り、電子ホワイトボード１０５の表面に関するスタイラスの位置を示すことができる。このスタイラスはまた、ペンの色、描画又は消去モード、線の幅、フォント、又は、その他のフォーマット情報を含むがそれらに限定されない、その他の情報を、電子ホワイトボード１０５に送ることもできる。
【００１４】
他の実施形態では、電子ホワイトボード１０５は、タッチ感応性あるいは感圧性であり得る。タッチ感応性又は感圧性とは、物理的接触を電気信号又は入力に変換する機能を有することを意味する。タッチ感応性電子ホワイトボードは、抵抗膜技術を組み込むことができる。例えば、抵抗膜電子ホワイトボードについて記述されている特許文献ん１を参照されたい。なお、この特許文献１は、その全体が本明細書中に組み込まれているものとする。
【００１５】
一実施形態では、電子ホワイトボード１０５は、例えば例えば張力で、物理的に互いに分離された、２枚の導電性シートを有し、この２枚のシートは、タッチ又は物理的圧力に応答して互いに接触する。このシートは導電性の材料製であり、あるいは、導電性フィルムなどの導電性材料でコーティングされていてもよく、変形可能とすることもできる。この導電性シートの表面にタッチする、書き込む、あるいはその他の圧力を加えることにより、この２枚の導電性シート間に接触が生じ、その結果、電圧又は抵抗に検出可能な変化が生じる。このシートは抵抗分割器として働き、１枚のシートの両端にそれぞれ異なる電圧をかけることによって、電位勾配を生じさせることができる。次に、電圧又は抵抗の変化を、位置の値、例えば直角座標系に相関させることができる。座標データ、例えば（ｘ、ｙ）対又はその均等物を、処理、操作、編集、又は記憶のために、適合したデータパケットに入れて処理装置１１５に送ることができる。
【００１６】
電子ホワイトボード１０５に関するその他の実施形態には、レーザトラッキングシステム、電磁システム、赤外線システム、カメラベースのシステムなどがある。これらのシステムは、２次元の表面全体にわたって、インクマーキング、あるいはポインタ又はスタイラス装置の存在を検出し、この検出が可能になることにより、ドライイレーズマーカでつけられた印の消去ができるが、必ずしもそうでなくてもよい。
【００１７】
従来のドライイレーズマーカは、一般に電子ホワイトボード１０５の表面に書くために使用されるが、その他の消去可能な、又は除去可能なインク、顔料、又は染料も電子ホワイトボード１０５の表面に物理的に印をつけるために使用することができる。電子ホワイトボード１０５上の物理的マーキングは、黒板拭き、タオル、ティッシュ、手、又はその他電子ホワイトボード１０５の表面からマーキングを物理的に除去する物体を含めた、従来の方法を使用して除去することができる。
【００１８】
また、電子ホワイトボード１０５は、制御域１１０を含むこともできる。制御域１１０は、電子ホワイトボードシステム１００の機能を制御するために、複数の制御域１４５（例えばボタン又はソフトキー）を含むことができる。制御域１１０は、制御域１１０に圧力をかけることによって作動させることができる、アクチュエータ、例えば物理的ボタン１４５でよい。制御域１１０の機能は、固定でも可変でもよい。制御域１１０の機能が可変である場合、制御域１１０は、処理装置１１５によって制御できる機能を有するソフトキー１４５を含むことができる。例えば、ソフトキー１４５は、処理装置１１５で起動しているそれぞれ異なるアプリケーションソフトウェアに応じて、別々の機能をもつことができる。ソフトキー１４５の現在の機能を示す画像又はアイコンは、投影装置１２５を使用して、制御域１１０の近くに投影することができる。
【００１９】
投影装置１２５は、処理装置１１５、ホワイトボード１０５、又は両方に動作可能に接続され得る。投影装置１２５は、一般に処理装置１１５のディスプレイ１２０上のグラフィカルユーザインターフェースを、電子ホワイトボード１０５の表面１３５上に投影する従来の投影装置でよい。投影装置１２５は、キーストーニング及びその他光学上の問題、例えば表面１３５上の投影画像とディスプレイ１２０上のグラフィカルユーザインターフェースの位置合せから生じる光学上の問題を含めた、画像ひずみについて調整を行うことができる。あるいは、処理装置１１５で、画像又は位置合せの問題のために調整を行うこともできる。ユーザはまた、キーストーニングを含む画像の問題を補償するために投影装置１２５を物理的に調整することもできる。
【００２０】
本発明の他の実施形態には、例えばタッチ感応性、容量性、カメラベース、レーザトラッキング、電磁式、その他のものなどの座標検出表面を有する、プラズマディスプレイ又はリアプロジェクションシステムがあり、それによって、スタイラスを表面上で追跡することができ、ビデオソースは、処理装置１１５によって提供される。レーザトラッキング技術は、特別にコーディングされたペン又はスタイラスを必要とすることがある。レーザトラッキング技術では、それらの特別にコーディングされたペン又はスタイラスがボード全体にわたって移動するとき、それらを追跡する赤外線レーザを使用する、光学トラッキングインターフェースを利用する。使用される投影スクリーンとは無関係に、それら既存のインターフェースで投影スクリーンに描かれたものはすべて見ることができ、処理装置はスクリーンに描かれたものを取り込むことができる。レーザトラッキング電子ホワイトボードの例としては、ジョージア州 Norcross の PolyVision Corporation 製 Webster（商標）Laser Tracking（ＬＴ）Series の対話式ホワイトボードがある。その他の電子ホワイトボード技術には、超音波ペントラッキング、赤外線ペントラッキング、電磁ペントラッキングなどがある。
【００２１】
また、電子ホワイトボードシステム１００は、電子ホワイトボードシステム１００又はその構成要素と通信することができるリモート制御装置１３０を含むこともできる。例えば、リモート制御装置１３０は、電子ホワイトボード１０５、処理装置１１５、投影装置１２５、又はそれらの組合せと通信することができる。リモート制御装置１３０とシステム１００の別の構成要素との間の通信は、赤外線又はレーザ技術を含むがそれらに限定されない電磁技術によって行うことができる。更に、リモート制御装置１３０と電子ホワイトボードシステム１００との間の通信は、従来のワイヤレス、無線、又は衛星技術によって行うこともできる。
【００２２】
＜移動可能な電子ホワイトボードシステム＞
図２Ａ〜２Ｃは、本発明の一実施形態による、例示的な移動可能な電子ホワイトボードシステム２００の断面図を示す。一般に、システム２００は、教室の壁などの表面に沿って移動可能に位置決めされる、電子表面、例えば電子ホワイトボード１０５、デジタイザなどを使用可能にする。移動可能電子ホワイトボードシステム２００は、ガイド要素２１０、位置決め部材２１５、第１の溝２２０、第２の溝２２５、保持部材２３０、及び保護部材２３５を含む。
【００２３】
ガイド要素２１０は、壁に取り付けることができ、それによって、ガイド要素２１０に沿って電子ホワイトボード１０５を移動することにより、電子ホワイトボード１０５をその壁の様々な位置に移動可能に配置することができる。電子ホワイトボード１０５が所望の位置に移動されると、ガイド要素２１０上のその位置に、電子ホワイトボード１０５を固定手段を使って一時的に固定することができる。他の実施形態では、電子ホワイトボード１０５を既存の壁構造２１２と組み合わせて使用することができるように、ガイド要素２１０を既存の壁構造２１２に配置することができる。例示的な既存の壁構造としては、固定のホワイトボード、黒板、タックボード、伝言板、図表、地図、スクリーンなどがある。ガイド要素２１０は、既存の壁構造２１２の上方、下方、又は横方向に直接設置することができ、あるいは、ガイド要素２１０を、そのような既存の構造のトップに直接設置することもできる。それらの既存の構造の１つの上方又はトップに直接設置されても、それらの構造は、なおその通常の機能を使用することができる。例えば、移動可能な電子ホワイトボードシステム２００が黒板のトップに直接設置された場合、ガイド要素２１０に接続された電子ホワイトボード１０５及びその黒板は、一緒に使用され得る。電子ホワイトボード１０５が、ガイド要素２１０の長さに沿って移動されるとき、黒板又はその他の壁構造の部分は、必要に応じて、露出され或いは隠蔽され得る。
【００２４】
ガイド要素２１０は、例えば、ボルト、釘、ねじ、半田、又は膠などの固定手段を含めた好適な手段によって、壁、又は既存の構造物の表面に固定することができる。他の実施形態では、ガイド要素２１０の前面が壁の表面と同一平面をなすように、ガイド要素２１０を壁に埋め込んでもよい。
【００２５】
ガイド要素２１０は、電子ホワイトボード１０５の重量を支持する。したがって、ガイド要素２１０は、金属、合金、材木、ガラス、及びプラスチックを含むがそれらに限定されない、耐久性のある物質製とすることができる。例示的実施形態では、ガイド要素２１０は、アルミ又は鋼鉄などの金属製である。
【００２６】
電子ホワイトボード１０５は、位置決め部材２１５の長さに応じて、ガイド要素２１０から様々な距離に配置することができる。距離ｄ１はガイド要素２１０の保護部材２３５と電子ホワイトボード１０５の間のスペースである。しかし、ガイド要素２１０及び電子ホワイトボード１０５の背面は互いに物理的に接触していてよい。ガイド要素２１０と電子ホワイトボード１０５が互いに物理的に接している場合、この２つの要素間の摩擦係数は、十分低いはずであり、したがって、電子ホワイトボード１０５は、大きな抵抗なしにガイド要素２１０に沿って移動することができる。更に、この距離ｄ１は、位置決め部材２１５の長さがｄ１より大きい場合は、ゼロより大きくてよい。好ましい実施形態では、位置決め部材２１５がガイド要素２１０内に配置されているとき、距離ｄ１は、電子ホワイトボード１０５を実質上垂直方向に維持するのに十分な距離である。
【００２７】
ガイド要素２１０の形状は、保持部材２３０及び保護部材２３５によって規定することができる。図２Ｂに示すように、保持部材２３０及び保護部材２３５は外形を合わせることができる。保持部材２３０及び保護部材２３５は、平ら、又は、このシステムが壁に取り付けられるとき、位置決め部材２１５を溝２２０内に保持するのに十分な、その他の形状でよいことが理解されよう。ガイド要素２１０の背面は、ある表面に取り付けられたとき、その表面と確実に同一平面をなすように平らとすることができる。ただし、ガイド要素２１０の背面は、取り付けられる面の形状に合うように、必要に応じて、その他の形状とすることも可能である。
【００２８】
上述したように、保持部材２３０は、湾曲していてもまっすぐでもよく、ガイド要素２１０の基部に向かって下方に延びていてよい。ガイド要素２１０の垂直軸に対する維持部材２３０の角度は、好ましくは０度と９０度の間とすることができる。保持部材２３５は、まっすぐ、又は湾曲した外形を有し得る。ただし、ガイド要素２１０は、Ｌ字形及びＣ字形を含むがそれらに限定されないその他の形状をも有し得る。
【００２９】
ガイド要素２１０は、所望の長さでよく、電子ホワイトボード１０５の長さより長いことが好ましい。電子ホワイトボード１０５は、電子ホワイトボード１０５を摺動させる、押す、又はそれ以外の方法で移動させることによって、ガイド要素２１０に沿って移動可能に位置決めすることができる。次に、電子ホワイトボード１０５を、ガイド要素２１０に沿って、所望の位置に、例えば一時的に固定することができる。電子ホワイトボード１０５は、水平、垂直、斜め、又は弧に沿った方向を含むがそれらに限定されない、ガイド要素２１０に沿った方向に移動することができるように、ガイド要素２１０上に固定され得る。
【００３０】
図２Ｂの例示的一実施形態に示すように、電子ホワイトボード１０５は、位置決め部材２１５を有する。位置決め部材２１５は、電子ホワイトボード１０５の背面をガイド要素２１０の溝２２０の表面２４０に連結する。位置決め部材２１５は、例えば、ボルト、釘、ねじ、半田、膠、又はその他の耐久性のある物質などの固定手段を含めた好適な手段で、電子ホワイトボード１０５の背面に固定され得る。あるいは、位置決め部材２１５は、電子ホワイトボード１０５の一部とすることができる。位置決め部材２１５を溝２２０の表面２４０上の点に位置決めし、それによって、電子ホワイトボード１０５をガイド要素２１０に沿った一点に位置決めすることもできるように、位置決め部材２１５を溝２２０の表面２４０上に配置することができる。位置決め部材２１５を、摺動する、転がす、又はそれ以外の方法で、表面２４０全体にわたって移動させることによって、溝２２０の表面２４０上の一点に位置決めすることができる。また、電子ホワイトボード１０５を移動させるために、ベアリング、プーリ、又はモータを使用することもできる。ガイド要素２１０に沿った電子ホワイトボード１０５の移動は、自動化、コンピュータ制御、又は電力によって行うことが可能である。
【００３１】
例示的な一実施形態では、位置決め部材２１５は、位置決め部材２１５がガイド要素２１０の溝２２０の表面２４０全体にわたって、又はそれに沿って、転がり得るように、車輪２４５と車軸２５０との組合せとすることができる。車軸２５０は、一方の端部で電子ホワイトボード１０５の背面に固定され、車輪２４５がガイド要素２１０の溝２２０の表面２４０に沿って転がり得るように、他の端部にも車輪２４５を有し得る。この車輪２４５と車軸２５０との組合せは、１つの一体の構成要素とすることが可能で、あるいはそれぞれ別個の構成要素とすることも可能である。
【００３２】
他の実施形態では、車軸２５０は、車軸２５０に連結されている車輪２４５が表面２４０に接触し、溝２２０の表面２４０の長さに沿って自由に転がり得るように、距離ｄ１より大きい長さを有し得る。この例示的実施形態では、車軸２５０は、金属、材木、合金、プラスチック、及びガラスを含むがそれらに限定されない、耐久性のある材料製でよい。例示的な一実施形態では、車輪２４５は、低摩擦係数のプラスチック又はその他の材料製である。しかし、車輪２４５を製作するためには、金属、合金、ガラス、材木又はゴムを含めて、その他の材料を使用することもできる。更に、ガイド要素２１０には、摩擦係数を低くするために、注油することが可能である。あるいは、位置決め部材２１５は、第１の溝２２０の内部に嵌るような棒とすることが可能で、それによって電子ホワイトボード１０５をガイド要素２１０に沿って移動させることが容易になる。
【００３３】
更に、電子ホワイトボード２１０がガイド要素２１０に沿って移動可能にするために、複数の車輪２４５を複数の車軸２５０と一緒に使用することが可能である。更に、車輪２４５と車軸２５０との組合せで、電子ホワイトボード１０５の重量の一部を支持することが可能である。したがって、電子ホワイトボード１０５の重量を十分に分散させるために、十分な数の車輪２４５及び車軸２５０を使用すべきである。
【００３４】
他の実施形態では、電子ホワイトボード１０５が自動的にガイド要素２１０の長さに沿って移動できるように、位置決め部材２１５をモータに動作可能に連結することが可能である。ユーザは、電子ホワイトボード１０５をガイド要素２１０上の一点に位置決めするために、単に電子ホワイトボードシステム１００上又はその回りのスイッチを押す、ボタンを押す、あるいは、リモート制御を使用するだけでよい。更に、位置決め部材２１５及びモータを、処理装置１１５が電子ホワイトボード１０５の位置決めを制御可能なように、処理装置１１５にネットワーク接続することもできる。
【００３５】
電子ホワイトボード１０５が不注意によりガイド要素２１０から外れるのを防ぐために、保護部材２３５が使用され得る。保護部材２３５は、溝２２０の表面２４０の縁部の近くに配置してよく、位置決め部材２１５がガイド要素２１０から滑り落ちる、あるいは横に外れるのを防ぐために、位置決め部材２１５に向かって上方に延び得る。例示的な一実施形態では、保護部材２３５は、ガイド要素２１０に接触し、位置決め部材２１５に向かって上方に垂直に延びているが、位置決め部材２１５に物理的に接していないリムとし得る。あるいは、保護部材２３５は、位置決め部材２１５に物理的に接していてもよいが、位置決め部材２１５の移動をあまり妨げない。また、保護部材２３５は、ガイド要素２１０に取り付けられる、耐久性のある材料製の別個の要素とされ得る。
【００３６】
また、保護部材２３５は、電子ホワイトボード１０５がガイド要素２１０に固定されていないとき、他の媒体を保護部材２３５に固定できるように、地図、フリップチャート、フック、棚など他の媒体に適合することのできる、湾曲した外形を有し得る。あるいは、電子ホワイトボード１０５がガイド要素２１０に固定されているとき、これらの他の媒体は、電子ホワイトボード１０５の横に、又はガイド要素２１０の長さに沿った場所ならどこにでも、配置され得る。更に、電子ホワイトボード１０５自体が、これらの他の媒体を電子ホワイトボード１０５の上方に固定できるように、上記の外形を保持する領域を、例えば電子ホワイトボード１０５の上部に沿って、有し得る。
【００３７】
位置決め部材２１５の下端をガイド要素２１０上に維持するために保護部材２３５を使用し得るとちょうど同じように、位置決め部材２１５の上端をガイド要素２１０上に維持するために保持部材２３０が使用され得る。保持部材２３０は、ある角度で、ガイド要素２１０の上部から位置決め部材２１５に向かって下方に延びている。保持部材２３０は、湾曲していてよく、あるいは、保持部材２３０は、位置決め部材２１５に向かって下方に斜めに延びていてもよい。また、保持部材２３０は、位置決め部材２１５がガイド要素２１０から脱離しないよう十分下方に延びていてもよい。保持部材２３０の角度は、保持部材２３０が位置決め部材２１５の上方又は一部上方に延びるように十分大きくてよい。位置決め部材２１５が比較的狭い場合、保持部材２３０が位置決め部材２１５のより大きな領域の上方に延びることができるように、位置決め部材２１５の幅を広げるために、位置決め部材２１５の背部に拡張手段（ｅｘｔｅｎｄｅｒ）が連結され得る。したがって、保持部材２３０の角度は、好ましくは０度と９０度の間とされ得る。
【００３８】
他の実施形態では、ガイド要素２１０は、電気ケーブル２６５を含み得る線２５５を収納することができる溝２２５を含む。電気ケーブル２６５を入れた、ガイド要素２１０中を貫通する電気ケーブル２６５の同軸移動を容易にするために、ピストン２６０がガイド要素２１０の溝２２５の内側に位置決めされ得る。ピストン２６０はまた、線２５５がガイド要素２１０から飛び出さないようにするのに役立ち得る。したがって、ピストン２６０は、図２Ｃに示すように、円筒の長さ方向と直角をなす中空のシャフトを有する円筒でよい。ピストン２６０は、例えば、長さ６インチ（１５．２ｃｍ）、直径１インチ（２．５ｃｍ）の、中空のプラスチック製円筒でよい。ただし、このピストン２６０の円筒は、溝２２５と同じ幅とされ得、プラスチック、金属、材木、ガラス、又はその他の好適な材料を含むがそれらに限定されない、好適な材料製とされ得る。
【００３９】
ピストン２６０の中空部分の中に、電力とデータの両方を供給する電気ケーブル２６５を収納することができる。図２Ｃに示すように、電気ケーブル２６５は、一方の端部からピストン２６０に入り、シャフトを通ってピストン２６０から出ることができる。例示的な一実施形態では、電気ケーブル２６５は、コイル状に巻かれているが、両端はまっすぐである。電気ケーブル２６５のまっすぐな一方の端は、ピストン２６０の一方の端にある開口部を通ってピストン２６０に入り、第１の開口部と直角をなす第２の開口部を通ってピストン２６０から出る。次に、電気ケーブル２６５を、電力とデータとの両方を電子ホワイトボード１０５に供給するために電子ホワイトボード１０５に接続する。例示的な一実施形態では、電気ケーブル２６５はシリアルケーブルである。ただし、電気ケーブル２６５は、ユニバーサルシリアルバス（ＵＳＢ）ケーブル、同軸ケーブル、及びパラレル・ケーブルを含むがそれらに限定されない、様々なケーブルを使用することもできる。あるいは、互いに平行に、又は独立して延びる２本の別々のケーブルを使用することもできる。１本は電力を供給し、１本はデータを供給するためである。しかし、本発明の範囲から逸脱することなく、その他の数のケーブルを使用できることを理解されたい。
【００４０】
図３Ａ及び３Ｂに示すように、例示的な一実施形態での電気ケーブル２６５は、押し縮め可能（ｃｏｌｌａｐｓｉｂｌｅ）、引伸ばし可能、あるいは引き込み可能である。電気ケーブル２６５は、コイル状に巻かれたケーブルでよい。例示的な引き込み可能なケーブルとしては、リール又はスプロールに巻かれたケーブルなどがある。
【００４１】
一実施形態では、電気ケーブル２６５は、ガイド要素２１０の溝２２５の中に収納されている。電気ケーブル２６５がコイル状に巻かれている場合、圧縮状態の電気ケーブル２６５は、ガイド要素２１０の第１の端部に格納することができる。この第１の端部は、一般に、電源コンセント、電気結合装置、又は付属コンピュータに最も近い。しかし、圧縮状態でも、電気ケーブル２６５は、ある長さを保持する。圧縮された電気ケーブル２６５の長さは、電子ホワイトボード１０５の長さによって規定することができる。したがって、引き伸ばされた状態にある電気ケーブル２６５の長さは、電子ホワイトボード１０５の長さの関数として、かつ溝２２５の半径の関数として、定義することができる。一実施形態では、電気ケーブル２６５の長さは、ほぼ２・Ｌ・π・ｒによって制限され得る。ただし、Ｌは電子ホワイトボード１０５の長さ、ｒは溝２２５の半径である。この制限は、ケーブル２６５が二重になっている場合、又は電気ケーブル２６５がガイド要素２１０内に何重にもなって格納されている場合、克服され得る。例示的な一実施形態では、引き伸ばされた状態にある電気ケーブル２６５の長さは、ガイド要素２１０の長さと同じである。
【００４２】
他の実施形態では、圧縮された電気ケーブル２６５は、ガイド要素２１０の第１の端部に収納される。電子ホワイトボード１０５は、電気ケーブル２６５が完全に圧縮されたとき、ガイド要素２１０上に開始位置をもつことができる。この開始位置のところで、電子ホワイトボード１０５の第１の端部は、ガイド要素２１０の第１の端部とぴったり合うようになる。一般に、圧縮された電気ケーブル２６５は、ガイド要素２１０の第１の端部から離れた電子ホワイトボード１０５の第２の端部のところで電子ホワイトボード１０５に取り付けられる第１の端部を有し得る。電子ホワイトボード１０５をガイド要素２１０の第１の端部から離れてガイド要素２１０に沿って移動すると、圧縮された電気ケーブル２６５は、電子ホワイトボード１０５がガイド要素２１０に沿って移動されるとき、電子ホワイトボード１０５との接続を維持するために、弛緩し伸長する。他の実施形態では、電気ケーブル２６５のコイル状に巻かれた最大の長さは、電子ホワイトボード１０５の長さによって規定される。電子ホワイトボード１０５をガイド要素２１０の第１の端部に向かって移動させると、電気ケーブル２６５は、ガイド要素２１０の中で、コイル状に巻かれた形状に収縮しあるいは戻る。電子ホワイトボード１０５がガイド要素２１０に沿って移動するとき、電気ケーブル２６５は、ガイド要素２１０内に収納されたままである。
【００４３】
コイル状に巻かれた電気ケーブル２６５を収納しているガイド要素２１０の第１の端部で、電気ケーブル２６５の第２の端部がガイド要素２１０から出る。例示的な一実施形態では、電気ケーブル２６５は、ガイド要素２１０の背面を抜け出て壁の中に入り、壁の背後を延び、コンセント、例えば電源に接続される。あるいは、電源をガイド要素２１０自体の中に収容して、電気ケーブル２６５が完全に又は部分的にガイド要素２１０の中に収容されている電源に伝導可能に接続できるようにもできる。電源は、電気コンセントでよく、あるいは、電池、ソーラーパネル、発電機、あるいは電力を供給できるその他の装置又は器具、あるいはそれらの組合せでもよい。
【００４４】
他の実施形態では、電子ホワイトボード１０５に電力とデータの両方を供給し、処理装置１１５にデータを供給するために、単一のＵＳＢケーブル２６５が使用され得る。あるいは、データと電力の両方を電子ホワイトボード１０５に供給するためにシリアルケーブル２６５が使用され得、ＵＳＢケーブル３１０は、処理装置１１５にデータを供給し得る。この実施形態では、シリアルケーブル２６５によって運搬されてきた信号をＵＳＢケーブル３１０が運搬し得る変換済みの信号に変換するために、変換器３０５が使用され得る。変換器３０５は、システムに沿った非常に多くの位置に配置され得る。ただし、例示的な一実施形態では、変換器３０５を電気コンセントの近くに配置することができる。既存の壁面ジャック３２０は、電気コンセント３２５及びＵＳＢポート３３０がその中に存在するように適合され得る。したがって、既存の電気コンセントの壁面ジャック３２０の背後にシリアル／ＵＳＢ変換器３０５を配置することができる。電子ホワイトボード１０５からデータを運搬してくるシリアル電気ケーブルは、シリアル／ＵＳＢ変換器３０５に入る。電子ホワイトボード１０５からデータを運搬してくるＵＳＢ３１０ケーブルは、壁面ジャック３２０を介してシリアル／ＵＳＢ変換器３０５から出てくる。このＵＳＢケーブル３１０は、処理装置１１５に接続され得る。シリアル／ＵＳＢ変換器３０５を配置することは、処理装置１１５がＵＳＢケーブルからのデータと電力の両方を単一の場所から受け取り得るので、都合がよい。図３Ｃに例示的な壁面ジャック３２０を示す。ＵＳＢケーブルは５メートルに制限されているので、この壁面ジャック３２０の利点によって、ケーブルの距離が最大限に活用される。ただし、変換器３０５は、電子ホワイトボードシステム１００からアクセス可能な場所に配置され得る。例えば、特許文献２に記載されているものを含めて、どんな市販のシリアル／ＵＳＢ変換器でも使用され得ることは、当業者には理解されるであろう。この特許文献２は、参照により本明細書にその全体が組み込まれるものとする。
【００４５】
再び図２を参照すると、車軸アセンブリ２７０は、電子ホワイトボード１０５の基部の近くに配置され得る。車軸アセンブリ２７０は、電子ホワイトボード１０５を実質上垂直方向に保持するのに役立つ。車軸アセンブリ２７０は、電子ホワイトボード１０５がガイド要素２１０の長さに沿って移動されるとき、壁又はその他既存の構造物の表面に沿って摺動、又は転がり得る。
【００４６】
図４は、本発明の他の例示的実施形態による、電子ホワイトボード１０５の移動可能な電子ホワイトボードシステム４００の断面図である。この実施形態は、ガイド要素４１０の形状を除いて、移動可能な電子ホワイトボードシステム２００に類似している。ガイド要素４１０の上部は開いていて、電子ホワイトボード１０５と一緒に使用される視覚媒体の取付けブラケットを受けることができる溝４８０を形成している。図表、グラフ、地図、フリップチャート、固定ホワイトボード、フラッグホルダーなどは、ガイド要素４１０の上に取り付けてもよく、保持部材２３０にクリップしてもよい。更に、ガイド要素４１０の底部も開いていて、黒板など既存の壁構造２１２に係合することができる溝４８５を形成し得、あるいは図表が書類又はフリップチャートパッドを保持し得る。ガイド要素４１０の底部は、固定要素４９０を収容することもでき、固定要素４９０は、地図、図表、書類、その他の展示物など、他の媒体をガイド要素４１０に固定する。固定要素４９０は、ナイロンローラ又はペーパークリップ、あるいは媒体をガイド要素４１０に固定するその他の手段とし得る。
【００４７】
図５は、端末キャップ５０５、ショックアブソーバ５１０、及びストッパを示す、移動可能電子ホワイトボードシステム２００の一方の端部の上面図である。端末キャップ５０５は、例えば、ねじ、釘、ボルト、膠、又は半田を含めた好適な手段で、ガイド要素２１０に固定し得る。例えば、ねじ、釘、又はボルトが使用される場合、端末キャップ５０５をガイド要素２１０に固定する固定手段を受けるために、スタッドが使用され得る。端末キャップ５０５は、トラックシステム２００の内部の構成要素を入れられるように、それぞれの端部でガイド要素２１０に固定される１個のプラスチックでよい。ただし、トラックシステム２００の内部の構成要素を入れることができる端末キャップ５０５として、ガラス、金属、ゴム、ボール紙、材木、布、又はその他の材料を含むがそれらに限定されない、その他の材料が使用され得る。
【００４８】
図５はまた、ショックアブソーバ５１０も示す。電子ホワイトボード１０５がガイド要素２１０に沿って移動し、一方の端部に達すると、ショックアブソーバ５１０が、電子ホワイトボード１０５、具体的にはピストン２６０が端末キャップ５０５に達するのを防止し、電子ホワイトボード１０５がショックアブソーバ５１０に衝突することから生じるエネルギーを吸収する。ショックアブソーバ５１０は、ガイド要素２１０から外れることなく、大きな力を吸収するのに十分強い材料製とされ得る。したがって、例示的な一実施形態では、ショックアブソーバ５１０は、ゴム、シリコン、プラスチック、又は金属製であり、ガイド要素２１０にしっかりと固定されている。
【００４９】
図示していない任意選択のストッパは、位置決め部材２１５がショックアブソーバ５１０に接触しないように、位置決め部材２１５のそれぞれの端部に配置され得る。このストッパは、電子ホワイトボード１０５がショックアブソーバ５１０に達したとき、その衝撃を吸収し、位置決め部材２１５に対する損傷を防止するために、ゴム又はシリコンなどの材料製とされ得る。
【００５０】
他の任意選択の要素を、移動可能な電子ホワイトボードシステム２００と共に使用することもできる。例えば、電子ホワイトボード１０５をガイド要素２１０の長さに沿った固定位置に固定するために、ロック機構が使用され得る。ロック機構は、ブレーキ、ガイド要素２１０上の障害物又は邪魔物、あるいは、電子ホワイトボード１０５がガイド要素２１０に沿って移動するのを防止し得る、その他の機械的又は電気的装置とすることができる。このロック機構は、手動で配置することができ、あるいは、ユーザが電子的に作動させることもできる。更に、処理装置１１５を使用して、移動可能な電子ホワイトボードシステム２００にコマンドを送り、ロック機構が作動するようにすることもできる。ロック機構を自動式にして、電子ホワイトボード１０５がガイド要素２１０に沿った移動を中止するとき、ロック機構が作動し、ユーザが電子的に電子ホワイトボード１０５のさらなる移動を許可しない限り、電子ホワイトボードがそれ以上動かないようにすることもできる。
【００５１】
他の実施形態では、ガイド要素２１０自体が導電性とされ得る。この実施形態では、電子ホワイトボード１０５は、電源との接触を連続的に維持し得る。ユーザ又はその他の者が、電気的にエネーブルされたガイド要素２１０によって衝撃を受けないようにするために、ガイド要素２１０の外面を被覆する絶縁物が使用され得る。低い電圧が、また使用され得る。
【００５２】
更に、複数のガイド要素２１０が使用され得る。例えば、１つのガイド要素２１０が、ガイド要素２１０が床に対して水平になるように、ある表面に取り付けられ得る。別のガイド要素２１０が、ガイド要素２１０の長さが床に対して垂直になるように、ある表面に取り付けられ得る。この実施形態では、電子ホワイトボード１０５は、一方のガイド要素２１０に沿って水平に移動し、次に、他方のガイド要素２１０に沿って垂直に移動し得る。したがって、電子ホワイトボードが様々な方向に移動できるように、いくつかのガイド要素２１０がある表面に様々な方向で取り付けられ得る。更に、ガイド要素２１０が、いくつかの電子ホワイトボード１０５が互いに重なるように、積み重ねられ得る。
【００５３】
本発明をその好ましい形態について開示してきたが、添付の特許請求の範囲に記載の本発明の主旨及び範囲、並びにその均等物から逸脱することなく、本発明に多くの変更、追加、及び削除を行うことが可能であることが、当業者には明らかであろう。
【図面の簡単な説明】
【００５４】
【図１】本発明の第１の実施形態による、移動可能な電子ホワイトボードの例示的システムの図である。
【図２Ａ】本発明の第１の実施形態による、既存のホワイトボードの上に取り付けられた移動可能な電子ホワイトボードシステムの側面の断面図である。
【図２Ｂ】本発明の第１の実施形態による、移動可能な電子ホワイトボードシステムのための、トラックシステムの上部の断面分解図である。
【図２Ｃ】本発明の第１の実施形態による、ピストンの中のコイル状に巻かれた電気ケーブルの図である。
【図３Ａ】既存のホワイトボードの上に取り付けられた例示的な移動可能な電子ホワイトボードのトラックシステムの、ハウジングの一部を取り除いた図である。
【図３Ｂ】既存のホワイトボードの上に取り付けられた例示的な移動可能な電子ホワイトボードのトラックシステムの、ハウジングの一部を取り除いた図である。
【図３Ｃ】本発明の、例示的壁面ジャックの実施形態である。
【図４】本発明の他の例示的実施形態による、移動可能な電子ホワイトボードシステムの断面図である。
【図５】本発明の他の例示的実施形態による、例示的な移動可能な電子ホワイトボードシステムの一方の端部の上面図である。
【符号の説明】
【００５５】
１００  電子ホワイトボートシステム
１０５  電子ホワイトボード
１１０  制御域
１１５  処理装置
１２０  ディスプレイ
１２５  投影装置
１３０  リモート制御装置
１３５  電子ホワイトボード１０５の表面
１４５  制御域、物理的ボタン、ソフトキー
２００  電子ホワイトボードシステム、トラックシステム
２１０  ガイド要素
２１５  位置決め部材
２２０  第１溝、溝
２２５  第２溝、溝
２３０  保持部材
２３５  保護部材
２４０  ガイド要素２１０の溝２２０の表面
２４５  車輪
２５０  車軸
２６０  ピストン
２７０  車軸アセンブリ
３０５  シリアル／ＵＳＢ変換器
３１０  ＵＳＢケーブル
４００  電子ホワイトボードシステム
４１０  ガイド要素
４８０  溝
４９０  固定要素
５０５  端末キャップ
５１０  ショックアブソーバ
【図１】
2007526532.tif 000003
2007526532.tif 000004
2007526532.tif 000005
2007526532.tif 000006
【図３Ａ】
2007526532.tif 000007
【図３Ｂ】
2007526532.tif 000008
2007526532.tif 000009
【図４】
2007526532.tif 000010
【図５】
2007526532.tif 000011
【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
電子ホワイトボードと該電子ホワイトボードが取り付けられた壁とを含む視覚通信システムにおいて、
前記電子ホワイトボードの後ろに配置された移動装置であって、前記電子ホワイトボード装置の前記壁との相対横移動を可能にする移動装置を含んでなることを特徴とする改良された視覚通信システム。
【請求項２】
前記電子ホワイトボードが該電子ホワイトボードの後ろから延びる少なくとも一つの調節可能な位置決め部材を備え、前記移動装置が前記位置決め部材を受けるように構成されたガイド要素で、前記電子ホワイトボードと前記移動装置とが前記ガイド要素に沿って移動可能で、更に、前記壁と前記電子ホワイトボードとの間の距離が調節可能であることを特徴とする請求項１に記載の改良視覚通信システム。
【請求項３】
前記電子ホワイトボードに動作可能に結合された計算装置を更に含んでなることを特徴とする請求項２に記載の改良視覚通信システム。
【請求項４】
電子ホワイトボードを移動させるモーターを更に含んでなり、前記電子ホワイトボードが前記ガイド要素に電気的に結合されていることを特徴とする請求項３に記載の改良視覚通信システム。
【請求項５】
前記ガイド要素が、データを前記電子ホワイトボードと計算装置との間で伝導することを特徴とする請求項３に記載の改良視覚通信システム。
【請求項６】
前記ガイド要素が、前記電子ホワイトボードとの接続を維持するための収容可能なラインを収容していることを特徴とする請求項２に記載の改良視覚通信システム。
【請求項７】
前記電子ホワイトボードがタッチ感応性面を含んでなることを特徴とする請求項２に記載の改良視覚通信システム。
【請求項８】
前記電子ホワイトボードがレーザトラッキング面を含んでなることを特徴とする請求項２に記載の改良視覚通信システム。
【請求項９】
垂直表面に配置された電子ホワイトボードと、
前記電子ホワイトボードの後ろに配置された前記垂直表面のトラックシステムであって、該トラックシステムを介して前記電子ホワイトボードの前記垂直表面との相対移動を可能にするトラックシステムと、を含んでなる視覚通信システムにおいて、
前記トラックシステムは位置決め部材とガイド要素とを含み、
前記トラックシステムは、前記電子ホワイトボードの後ろから延びる位置決め部材を介して、前記電子ホワイトボードの前記垂直表面との相対横移動を可能にし、更に、前記位置決め部材は、前記ガイド要素の溝内における前記電子ホワイトボードの回転式係合の為の軸及びホイール組立体を備えていることを特徴とする視覚通信システム。
【請求項１０】
前記ガイド要素が、該ガイド要素の長さに沿って配置された前記電子ホワイトボードとの結合を維持する第１の通信装置を収納していることを特徴とする請求項９に記載の視覚通信システム。
【請求項１１】
前記第１の通信装置が、収容可能なケーブルを含んでなることを特徴とする請求項１０に記載の視覚通信システム。
【請求項１２】
前記収容可能なケーブルが、データを前記電子ホワイトボードへ、或いは前記電子ホワイトボードからデータを伝導することを特徴とする請求項１１に記載の視覚通信システム。
【請求項１３】
変換器と第２の通信装置とを更に含んでなり、前記変換器は前記第１の通信装置を受けるように構成され、更に、前記変換器は、前記第１の通信装置によって運ばれる信号を、前記第２の通信装置によって運ばれるＵＳＢ信号に変換することを特徴とする請求項１０に記載の視覚通信システム。
【請求項１４】
壁に配置された電子ホワイトボードと、
前記壁のトラックシステムであって、該トラックシステムを介して前記電子ホワイトボードの前記壁との相対移動を可能にするトラックシステムと、を含んでなる視覚通信システムにおいて、
前記トラックシステムは  少なくとも２つの溝を備えたガイド要素を含み、第１の溝は前記電子ホワイトボードの位置決め部材を受容するように構成され、前記ガイド要素は第２の溝に第１の延長可能ケーブルを収容し、該第１の延長可能ケーブルは前記電子ホワイトボードとの結合を維持し、更に、前記トラックシステムは、前記ガイド要素における前記電子ホワイトボードの位置から独立し、
前記電子ホワイトボードは前記ガイド要素に配置可能で、
更に、前記ガイド要素は、前記電子ホワイトボードに電力を供給し、データを前記電子ホワイトボードへ、或いは前記電子ホワイトボードからデータを伝導することを特徴とする視覚通信システム。
【請求項１５】
変換器と第２のケーブルとを更に含んでなり、前記変換器は前記第１の延長可能ケーブルを受けるように構成され、更に、前記変換器は、前記第１の延長可能ケーブルによって運ばれる信号を前記第２のケーブルによって運ばれる信号に変換することを特徴とする請求項１４に記載の視覚通信システム。
【請求項１６】
前記電子ホワイトボードがタッチ感応性面を含んでなることを特徴とする請求項１４に記載の視覚通信システム。
【請求項１７】
前記電子ホワイトボードがレーザトラッキング面を含んでなることを特徴とする請求項１４に記載の視覚通信システム。
【請求項１８】
ガード部材を更に含んでなり、
前記位置決め部材が軸に連動したホイールを含み、前記位置決め部材のホイールが前記ガイド要素の前記第１の溝内で回転するように構成され、
更に、前記ガード部材は、前記位置決め部材が前記ガイド要素から外れるのを防止するように構成されていることを特徴とする請求項１４に記載の視覚通信システム。
【請求項１９】
前記モーターを制御して前記電子ホワイトボードを前記ガイド要素の所望位置に配置するリモートコントロールを更に含んでなることを特徴とする請求項４に記載の改良視覚通信システム。
【請求項２０】
前記垂直平面が壁であることを特徴とする請求項９に記載の視覚通信システム。
【請求項２１】
前記ガイド要素は、該ガイド要素の少なくとも一端に、前記電子ホワイトボードから生じて前記ガイド要素の少なくとも一端に到着するエネルギーを吸収するためのショックアブソーバーを備えていることを特徴とする請求項９に記載の視覚通信システム。
【請求項２２】
前記電子ホワイトボードの後ろで底に近接して配置された第２のホイール組立体であって、前記電子ホワイトボードを前記垂直平面に対し略平行に保持可能にする第２のホイール組立体を更に含んでなることを特徴とする請求項９に記載の視覚通信システム。
【国際調査報告】
2007526532.tif 000012
2007526532.tif 000013
2007526532.tif 000014